(57)【特許請求の範囲】
【請求項１】
垂直偏向コイル（６０）と、前記垂直偏向コイルと直列に接続された垂直コマ収差補正用コイル（２０９）およびコンバーゼンス補正回路（２）と、垂直リニアリティ補正回路（１）とを備える垂直偏向回路であって、
前記垂直リニアリティ補正回路は、
第１のダイオード（１０１）と、前記第１のダイオードと並列にかつ逆方向に接続された第２のダイオード（１０２）と、前記第１および第２のダイオードと並列に接続された第１の抵抗器（１０３）と、前記第１および第２のダイオードと直列に接続された第２の抵抗器（１０４）とを備え、
前記コンバーゼンス補正回路は、
第３の抵抗（２０１）と第４の抵抗（２０２）の直列回路と、
第３のダイオード（２０３）と、第１の可変抵抗（２０５）と、前記第３のダイオードと同方向に接続された第４のダイオード（２０４）とからなる直列回路と、
前記第３のダイオードと逆方向に接続された第５のダイオード（２０６）と、第２の可変抵抗（２０８）と、前記第５のダイオードと同方向に接続された第６のダイオード（２０７）とからなる直列回路と
が並列に接続された構成を備え、
前記垂直リニアリティ補正回路は、前記垂直偏向コイルと前記垂直コマ収差補正用コイルと前記コンバーゼンス補正回路との直列回路と並列に接続された
ことを特徴とする垂直偏向回路。
【請求項２】
前記第１および第２のダイオードは、前記コンバーゼンス補正回路中のダイオードと実質的に同じＶ−Ｉ特性を持つことを特徴とする請求項１に記載の垂直偏向回路。
【請求項３】
前記第１および第２の抵抗器の少なくとも一つが可変抵抗器であることを特徴とする請求項１に記載の垂直偏向回路。
【請求項４】
インライン型電子銃を内蔵するカラー受像管と、
垂直偏向コイル（６０）と、前記垂直偏向コイルと直列に接続された垂直コマ収差補正用コイル（２０９）およびコンバーゼンス補正回路（２）と、垂直リニアリティ補正回路（１）とを備える垂直偏向回路と
を備えるカラー受像管装置であって、
前記垂直リニアリティ補正回路は、
第１のダイオード（１０１）と、前記第１のダイオードと並列にかつ逆方向に接続された第２のダイオード（１０２）と、前記第１および第２のダイオードと並列に接続された第１の抵抗器（１０３）と、前記第１および第２のダイオードと直列に接続された第２の抵抗器（１０４）とを備え、
前記コンバーゼンス補正回路は、
第３の抵抗（２０１）と第４の抵抗（２０２）の直列回路と、
第３のダイオード（２０３）と、第１の可変抵抗（２０５）と、前記第３のダイオードと同方向に接続された第４のダイオード（２０４）とからなる直列回路と、
前記第３のダイオードと逆方向に接続された第５のダイオード（２０６）と、第２の可変抵抗（２０８）と、前記第５のダイオードと同方向に接続された第６のダイオード（２０７）とからなる直列回路と
が並列に接続された構成を備え、
前記垂直リニアリティ補正回路は、前記垂直偏向コイルと前記垂直コマ収差補正用コイルと前記コンバーゼンス補正回路との直列回路と並列に接続された
ことを特徴とするカラー受像管装置。
【発明の詳細な説明】
【０００１】
【発明の属する技術分野】
本発明は、テレビ受像機やディスプレイモニタ等のカラー受像管装置に使用される垂直偏向回路に関するものである。
【０００２】
【従来の技術】
テレビ受像機やディスプレイモニタ等に使用されるインライン型カラー受像管において、垂直偏向磁界の中心軸とカラー受像管の中心軸とのずれや、垂直偏向磁界とカラー受像管との回転ずれが生じると、カラー受像管の表示面（蛍光体スクリーン面）の上部および下部で個別にミスコンバーゼンスが発生する。
【０００３】
このようなミスコンバーゼンスを表示面の上部および下部のそれぞれで個別に補正する手段として、特開平８−１０２２７０号公報に、偏向ヨークの後部である電子銃側に２個の補助コイルを設け、この補助コイルに、ダイオードブリッジ回路により構成したコンバーゼンス補正回路により補正された電流を流すことが記載されている。
【０００４】
図４は、上記従来技術の垂直偏向ヨークの回路図であり、図５中の曲線（ａ）は、上記従来技術の垂直偏向ヨークのインピーダンス特性を示す図である。
【０００５】
図４に示すように、垂直偏向ヨークは、カラー受像管７０に取り付けられた垂直偏向コイル６０、ダイオードによるスイッチを利用したコンバーゼンス補正回路２、垂直コマ収差補正用コイル２０９ａ、２０９ｂ、２０９ｃ、２０９ｄ、２１０ａ、２１０ｂを備える。コンバーゼンス補正回路２は、抵抗２０１と抵抗２０２とが直列に接続され、これと並列に接続されたダイオード２０３、可変抵抗２０５、およびダイオード２０３と同方向に接続されたダイオード２０４からなる直列回路を有し、さらにダイオード２０３と逆方向に接続されたダイオード２０６、可変抵抗２０８、およびダイオード２０６と同方向に接続されたダイオード２０７からなる直列回路を有する。コンバーゼンス補正回路２は直列垂直回路の一部を構成している。
【０００６】
【発明が解決しようとする課題】
しかし、このようなミスコンバーゼンスを補正する回路を付加した場合、コンバーゼンス補正回路内のダイオード２０３、２０４、２０６および２０７のＶ−Ｉ特性に起因して、垂直偏向ヨークのインピーダンス特性が、図５中の曲線（ａ）に示すように、垂直偏向期間の中央の近傍すなわち偏向電流の電流値が０〔Ａ〕の近傍で急峻に変化する。このため、垂直偏向ヨークに供給される垂直偏向電圧が、偏向電流に対する垂直偏向ヨークのインピーダンス変化に追従できず、垂直方向の偏向の速度がカラー受像管の表示面の上下方向の中央付近で遅くなる。このため、水平走査による走査線の垂直方向の密度が高くなり、カラー受像管の表示面の上下方向の中央付近において横方向の帯状の白い部分が現れるという問題があった。
【０００７】
なお、このような帯状の白い部分は、ダイオードのスイッチング特性を利用した補正手段を垂直偏向回路に付加した場合等、上記従来例で示したコンバーゼンス補正回路以外でも発生していた。
【０００８】
本発明は、上記問題を解決することを目的とするものであり、垂直偏向ヨークのインピーダンス特性が急峻に変化した場合においても、カラー受像管の表示面の上下方向の中央付近に現れる横方向の帯状の白い部分を低減することを目的とする。
【０００９】
【課題を解決するための手段】
本発明の垂直偏向回路は、垂直偏向コイル（６０）と、前記垂直偏向コイルと直列に接続された垂直コマ収差補正用コイル（２０９）およびコンバーゼンス補正回路（２）と、垂直リニアリティ補正回路（１）とを備える垂直偏向回路であって、前記垂直リニアリティ補正回路は、第１のダイオード（１０１）と、前記第１のダイオードと並列にかつ逆方向に接続された第２のダイオード（１０２）と、前記第１および第２のダイオードと並列に接続された第１の抵抗器（１０３）と、前記第１および第２のダイオードと直列に接続された第２の抵抗器（１０４）とを備え、前記コンバーゼンス補正回路は、第３の抵抗（２０１）と第４の抵抗（２０２）の直列回路と、第３のダイオード（２０３）と、第１の可変抵抗（２０５）と、前記第３のダイオードと同方向に接続された第４のダイオード（２０４）とからなる直列回路と、前記第３のダイオードと逆方向に接続された第５のダイオード（２０６）と、第２の可変抵抗（２０８）と、前記第５のダイオードと同方向に接続された第６のダイオード（２０７）とからなる直列回路とが並列に接続された構成を備え、前記垂直リニアリティ補正回路は、前記垂直偏向コイルと前記垂直コマ収差補正用コイルと前記コンバーゼンス補正回路との直列回路と並列に接続されたことを特徴とする（請求項１）。
【００１２】
この構成によれば、垂直偏向電圧の正負両極性で動作するダイオードのスイッチ作用により垂直偏向ヨークのインピーダンスをカラー受像管の表示面の上下方向の中央付近で小さくすることができる。また、第１の抵抗器の合成抵抗値と第２の抵抗器の合成抵抗値の調整により、垂直偏向ヨークのインピーダンスを調整することができ、垂直偏向ヨークのインピーダンス特性の変化をカラー受像管の表示面の上下方向の中央付近で小さくすることができる。これらの作用により、カラー受像管の表示面の上下方向の中央付近に現れる横方向の帯状の白い部分を低減できる。
【００１３】
また、前記第１および第２のダイオードは、前記コンバーゼンス補正回路中のダイオードと実質的に同じＶ−Ｉ特性を持つことが好ましい（請求項２）。
【００１４】
この構成によれば、コンバーゼンス補正回路に備えられているダイオードと同じタイミングで垂直リニアリティ補正回路のダイオードのオン・オフ状態をスイッチさせることができ、垂直偏向ヨークのインピーダンス特性の変化と同じタイミングでカラー受像管の表示面の上下方向の中央付近で垂直偏向ヨークのインピーダンスを小さくすることができる。したがって、カラー受像管の表示面の上下方向の中央付近に現れる横方向の帯状の白い部分を効果的に低減できる。
【００１５】
また、前記第１および第２の抵抗器の少なくとも一つが可変抵抗器であることが好ましい（請求項３）。
【００１６】
この構成によれば、可変抵抗の抵抗値を調整することにより、垂直偏向ヨークのインピーダンスを調整することができ、垂直偏向ヨークのインピーダンス特性の変化をカラー受像管の表示面の上下方向の中央付近で小さくすることができる。したがって、カラー受像管の表示面の上下方向の中央付近に現れる横方向の帯状の白い部分を低減できる。
【００１７】
また、本発明のカラー受像管装置は、インライン型電子銃を内蔵するカラー受像管と、垂直偏向コイル（６０）と、前記垂直偏向コイルと直列に接続された垂直コマ収差補正用コイル（２０９）およびコンバーゼンス補正回路（２）と、垂直リニアリティ補正回路（１）とを備える垂直偏向回路とを備えるカラー受像管装置であって、前記垂直リニアリティ補正回路は、第１のダイオード（１０１）と、前記第１のダイオードと並列にかつ逆方向に接続された第２のダイオード（１０２）と、前記第１および第２のダイオードと並列に接続された第１の抵抗器（１０３）と、前記第１および第２のダイオードと直列に接続された第２の抵抗器（１０４）とを備え、前記コンバーゼンス補正回路は、第３の抵抗（２０１）と第４の抵抗（２０２）の直列回路と、第３のダイオード（２０３）と、第１の可変抵抗（２０５）と、前記第３のダイオードと同方向に接続された第４のダイオード（２０４）とからなる直列回路と、前記第３のダイオードと逆方向に接続された第５のダイオード（２０６）と、第２の可変抵抗（２０８）と、前記第５のダイオードと同方向に接続された第６のダイオード（２０７）とからなる直列回路とが並列に接続された構成を備え、前記垂直リニアリティ補正回路は、前記垂直偏向コイルと前記垂直コマ収差補正用コイルと前記コンバーゼンス補正回路との直列回路と並列に接続された
ことを特徴とする（請求項４）。
【００１９】
【発明の実施の形態】
以下、本発明の実施の形態について、図面を用いて説明する。
【００２０】
（第１の実施の形態）
図１に示すように、本発明の垂直偏向回路は、垂直偏向コイル６０と、ダイオード２０３、２０４、２０６、２０７のスイッチング作用を利用するコンバーゼンス補正回路２と、垂直コマ収差補正用コイル２０９ａ、２０９ｂ、２０９ｃ、２０９ｄと、補正コイル２１０ａ、２１０ｂとからなる垂直偏向ヨーク３を備えるとともに、カラー受像管（図示せず）の表示面の上下方向の中央付近に電子ビームが衝突するときに垂直偏向回路のインピーダンスを小さくする手段である垂直リニアリティ補正回路１をさらに備えるものである。このような垂直偏向回路のうち、垂直偏向ヨーク３がインライン型電子銃を内蔵したカラー受像管に装着されて、本発明のカラー受像管装置を構成する（図示せず）。
【００２１】
垂直リニアリティ補正回路１は、差動入力ＩＣである垂直偏向出力ＩＣ４の出力部に一端が接続され、コンバーゼンス補正回路２の出力部にもう一端が接続され、かつ、垂直偏向ヨーク３に並列に接続される。垂直偏向コイル６０は、一端が垂直出力ＩＣ４の出力部に接続される。コンバーゼンス補正回路２は、図４に示すコンバーゼンス補正回路と同様の構成を有する。
【００２２】
垂直リニアリティ補正回路１は、第１のダイオード１０１と、ダイオード１０１と並列にかつダイオード１０１と逆方向に接続された第２のダイオード１０２とを備え、ダイオード１０１および１０２からなる並列回路と並列に接続された第１の抵抗器１０３と、ダイオード１０１および１０２からなる並列回路と直列に接続された第２の抵抗器１０４とを備える。
【００２３】
以下、本発明の垂直偏向回路の動作について詳細に説明する。
ダイオード１０１および１０２は、図２に示すような垂直偏向電圧５が印加されると、スイッチ作用により抵抗器１０３のオン・オフを繰り返す。すなわち、垂直偏向電圧５が＋０．７〔Ｖ〕以上のときにはダイオード１０１がオン状態になり、−０．７〔Ｖ〕以下のときにはダイオード１０２がオン状態になるから、これらの範囲では抵抗器１０３が短絡され、抵抗器１０４のみが有効となる。一方、垂直偏向電圧５が−０．７〔Ｖ〕から＋０．７〔Ｖ〕の間のときには、ダイオード１０１および１０２はともにオフ状態となるから、抵抗器１０３および１０４の両方が有効になる。
【００２４】
したがって、抵抗器１０３の抵抗値をＲ１とし、抵抗器１０４の抵抗値をＲ２とすると、垂直偏向電圧５が−０．７〔Ｖ〕以下または＋０．７〔Ｖ〕以上のときには抵抗値Ｒ２のみが垂直偏向ヨーク３と並列に接続されることになり、一方、垂直偏向電圧５が−０．７〔Ｖ〕から＋０．７〔Ｖ〕の範囲のときには、合成抵抗Ｒ＝Ｒ１＋Ｒ２が垂直偏向ヨーク３と並列に接続されることになる。
【００２５】
垂直偏向電圧５が−０．７〔Ｖ〕から＋０．７〔Ｖ〕の範囲は、図５の曲線（ａ）に示すように、ミスコンバーゼンス補正回路２内のダイオード２０３、２０４、２０６、および２０７のＶ−Ｉ特性に起因して垂直偏向ヨークのインピーダンスが垂直偏向期間の中央の近傍で急峻に変化する範囲と一致する。つまり、この範囲では、垂直偏向ヨーク３のインピーダンスが高くなるが、同時に、垂直偏向ヨーク３に並列に接続された垂直リニアリティ補正回路１のインピーダンスも抵抗器１０３および１０４の合成抵抗となり高くなるため、垂直偏向回路全体としては合成インピーダンスが小さくなり、結果としてフラットなインピーダンス特性が得られる。図５に示すように、本発明の垂直偏向回路のインピーダンス特性曲線（ｂ）は、垂直リニアリティ補正回路を有さない従来の垂直偏向ヨークのインピーダンス特性曲線（ａ）に比べて、より平坦な特性に改善されていることがわかる。
【００２６】
抵抗器１０３および１０４の抵抗値を適切に選択することにより、垂直偏向回路のインピーダンスをカラー受像管の表示面の上下方向の中央部で最適にすることができ、カラー受像管の表示面の上下方向の中央部に現れる横方向の帯状の白い部分を効果的に低減することができる。
【００２７】
垂直偏向回路のインピーダンスを最適に小さくする各抵抗器の抵抗値の一例をあげると、４１〔ｃｍ〕（１７インチ）のカラー受像管用の偏向ヨークに適用する場合で、垂直偏向コイル６０のインダクタンスが６．３６〔ｍＨ〕、インピーダンスが８．１８〔Ω〕のときに、抵抗器１０３の抵抗値が５．６〔ｋΩ〕で、抵抗器１０４の抵抗値が２７０〔Ω〕である。
【００２８】
なお、垂直リニアリティ補正回路１に用いられているダイオード１０１および１０２として、コンバーゼンス補正回路２に用いられているダイオードと実質的に同じＶ−Ｉ特性を有するダイオードを用いることが好ましい。この場合には、垂直偏向ヨーク３のインピーダンスの変化と同じタイミングで、ダイオード１０１および１０２のオン・オフ状態がスイッチする。このため、垂直偏向ヨーク３のインピーダンス変化のタイミングにあわせて抵抗器１０３をオンオフ動作させることができるので、垂直偏向回路のインピーダンス特性をよりフラットなものとすることができる。
【００２９】
（第２の実施の形態）
図３に示すように、第２の実施の形態は、垂直リニアリティ補正回路の抵抗器１０３を可変抵抗器１０５に置き換えている点において第１の実施の形態と異なる。なお、第２の実施の形態の垂直偏向回路の動作は、第１の実施の形態と同様であるため詳細な説明は省略する。
【００３０】
第２の実施の形態の垂直偏向回路によれば、カラー受像管の表示面を目視しながら可変抵抗器１０５の抵抗値を調整することにより、カラー受像管の表示面の上下方向の中央部に現れる横方向の帯状の白い部分を最小限に抑えることができる。
【００３１】
また、垂直偏向回路やカラー受像管の製造時におけるばらつきや、垂直リニアリティ補正回路中の抵抗値のばらつきが発生した場合には、第１の実施の形態の場合には抵抗器を交換する必要があるが、第２の実施の形態では可変抵抗器の抵抗値を調整するだけでよい。
【００３２】
なお、第２の実施の形態では、第１の実施の形態の抵抗器１０３を可変抵抗器１０５に置き換えているが、抵抗器１０４を可変抵抗器に置き換えてもよく、抵抗器１０３および１０４の両方を可変抵抗器に置き換えてもよい。
【００３３】
上記各実施の形態は、従来技術で示したコンバーゼンス補正回路が垂直偏向回路に付加された場合について説明しているが、ダイオードのスイッチング特性を利用したその他の補正回路であっても同様の効果が得られる。
【００３４】
【発明の効果】
以上説明したように、本発明によれば、垂直偏向回路のインピーダンスをカラー受像管の表示面の上下方向の中央付近で小さくすることにより、カラー受像管の表示面の上下方向の中央付近に現れる横方向の帯状の白い部分を効率的に低減することができる垂直偏向回路を実現できる。
【図面の簡単な説明】
【図１】本発明の第１の実施の形態の垂直偏向回路の回路図
【図２】垂直偏向電圧の波形を示す図
【図３】本発明の第２の実施の形態のリニアリティ補正回路を示す回路図
【図４】従来の垂直偏向ヨークの回路図
【図５】従来の垂直偏向ヨークおよび本発明の垂直偏向回路の各々のインピーダンス特性を示す図
【符号の説明】
１  垂直リニアリティ補正回路
２  コンバーゼンス補正回路
３  垂直偏向ヨーク
４  垂直出力ＩＣ
５  垂直偏向電圧
６０  垂直偏向コイル
１０１、１０２、２０３、２０４、２０６、２０７  ダイオード
１０３、１０４  抵抗器
１０５  可変抵抗器
２０９ａ、２０９ｂ、２０９ｃ、２０９ｄ  垂直コマ収差補正用コイル
【図１】
0003541672.tif 000002
【図２】
0003541672.tif 000003
【図３】
0003541672.tif 000004
【図４】
0003541672.tif 000005
【図５】
0003541672.tif 000006